(57)【要約】【課題】  従来の切くず処理装置はタンクの上部に設けたフィルタ上に溜まった切くずを作業者が棒の先に取付けた掻き板で掻き出していた。また、タンクにフィルタを取付けたコンベヤを設けて切くずを掻き出しているものもあるが、フィルタから抜けた微小切くずがタンクに溜まるという問題があった。そして、浮きかすと浮いた潤滑油を回収するために、別の装置を取付ける必要があった。【解決手段】  第１タンクに設けたフィルタで切削油剤を濾過し、回転する第１スクレーパで切くずを排出させ、第２タンクに設けた第２スクレーパで第２タンクに沈殿した微小切くずを掻き寄せ噴流によって排出する。また、浮きかすと浮いた潤滑油をひしゃくで掬う一連の動作を１つのモータで自動的に行い、切くずを回収することが出来る。【選択図】図１
2012115973.tif 000002
【特許請求の範囲】
【請求項１】
傾斜した円形の第１タンク２の下部及び側面に設けたフィルタ１０と、回転する、車輪９を取付た第１スクレーパー７を要する切くず処理機構。
【請求項２】
傾斜した円形の第１タンク２の第１スクレーパ７を回転させる軸４に、自在継手１５及びスプライン継手１６を接続し、第２タンク１４の第２スクレーパー１７を回転させる軸１８に連結して、第２スクレーパ１７を回転させる切くず処理機構。
【請求項３】
円弧形状の、第２タンク１４の底面側に取付けた車輪２０及び側面側に取付けた車輪２１を要する第２スクレーパ。
【請求項４】
第２スクレーパ１７の支柱３０に取付けた車輪３１の移動によって、片側がヒンジの空洞アーム２８がスイングし、車輪２７を裏底に取り付けたひしゃく２４をガイドレール３２に沿って持上げる、浮きかすと潤滑油回収機構。
【発明の詳細な説明】
【技術分野】
【０００１】  本発明は、工作機械から出た切くずを、第１タンクで切削油剤から回収し、第２タンクで沈殿した微小切くず及び浮きかすと混入して浮いた工作機械の潤滑油（以下、潤滑油）を回収する装置である。
【背景技術】
【０００２】  従来の工作機械の切くず処理装置（以下、切くず処理装置）は、工作機械から排出された切削油剤と切くずが、タンクの上部に設けられたフィルタ上に流れて、切くずはフィルタ上に堆積して、作業者が棒の先に取付けた掻板で、切りくず箱に回収していた。
また、タンクの中にフィルターを設けたコンベヤで切くずを回収しているものもある。
【発明の概要】
【発明が解決しようとする課題】
【０００３】  以上に述べた従来の切くず処理装置は、フィルタから抜けた微小切くずがタンクの底に堆積し清掃する必要があった。また、浮きかすと浮いた潤滑油を、別の装置を設けて回収する必要があった。【０００４】  本発明は、このような従来の構成が有していた問題を解決しようとするものであり、切くずを回収する動作と連動して、タンクの底に堆積した微小切くず及び浮きかすと浮いた潤滑油を回収する装置を実現することを目的とするものである【０００５】  第１タンクに、工作機械から切削油剤と一緒に切くずが流路を通って入口から入り、フィルタを通して切削油剤は第２タンクに入る。【０００６】  第１タンクは円形で傾斜していて、減速歯車付モーター（以下、モーター）で第１スクレーパを回転させ、切くずを排出口まで掻き寄せ、切くず箱に回収する。第１スクレーパには車輪を設けてあり回転を円滑にさせている。同時に、第１スクレーパがフィルタに付着した切くずを掻き払う機能を有している。【０００７】  また、第２の課題は、第２タンクに第２スクレーパを設け、モータと軸及び自在継手そしてスプライン継手を連結して、第２スクレーパを取付ている軸に接続し、第２スクレーパを回転させる機能を有している。【０００８】  上記第２の課題解決手段による作用は、第２スクレーパが円弧の形状をしており、フィルタから抜けた第２タンクに沈殿した微小切くずを、第２タンクの外側へ擦り寄せる効果がある。【０００９】  第２スクレーパには回転を円滑にさせるための車輪と、第２タンクの中心で回転させるための、第２タンク外周の内側で回転する車輪を設けて、回転を円滑にするという効果を発揮する。【００１０】  また、第３の課題解決手段による作用は、第２スクレーパで掻き寄せられた微小切くずを収集する溜枡を設け、溜枡に噴流管を設け、さらに噴流管内に噴射管を設け空気の圧力による噴流によって微小切くずを第２タンクの外側へ移送することが出来る機能を有している。
移送された微小切くずは、第１タンク内の切くずの固まった上に排出し、切くずがフィルタの機能を果し、切くずとともに切くず箱へ回収するという効果を発揮する。【００１１】  さらに第４の課題解決手段による作用は、第２タンク内の浮きかす及び混入して浮いた潤滑油をひしゃくで掬って、浮きかすと潤滑油回収箱に回収するという効果を発揮する。ひしゃくは、側面上部に穴を設け、切削油剤が抜け、また、内側に上部及び下部が解放され外周が完結する仕切の内側に浮きかすと潤滑油が溜まる構造である。【００１２】  そして第５の課題解決の手段の作用は次の通りである。
ひしゃくは自重で切削油剤中に沈み、第２スクレーパが回転して来た時に、第２スクレーパの上部に設けた車輪で、片方がヒンジのアームをスイングさせ、ひしゃくをガイドレールに沿って上昇させ第２タンクの上部で反転し、浮きかすと潤滑油を、浮かすと潤滑油回収箱に回収する。ひしゃくは底裏に車輪が設けてあり、アームが円滑に作動するような構造になっている。【００１３】  さらに第５の解決作用は、アームは密閉された空洞となっていて、浮力で第２スクレーパ上部の車輪によるアームのスイングを円滑に作用する構造となっている。
また、第２スクレーパがアームの位置にいないときは、ヒンジの反対部分は自重で第２タンクの切削油剤の中に沈んでいる。
【発明の効果】
【００１４】  上述したように、本発明の切くず処理装置は、作業者が棒の先に取付けた掻板で切くず箱に回収するという労力が無くなり、また、タンク清掃の必要が無くなった切くず処理装置を提供出来る。また、１個のモータで第１タンクの切くず及び第２タンクの沈殿した微小切くず、そして第２タンクの浮きかすと浮いた潤滑油が自動的に回収出来るものである。
【図面の簡単な説明】
【００１５】
【図１】  本発明の実施形態を示す切くず処理装置の断面図である。
【図２】  同上面図である。
【図３】  同第１タンクの図１におけるＡ−Ａ線断面図である。
【図４】  同第２タンク及び切くず箱、そして浮きかすと潤滑油回収箱、さらに微小切くず噴流管の、図１におけるＢ−Ｂ線断面図である。
【図５】  同微小切くず溜枡及び噴流管の、図１におけるＣ−Ｃ線断面図である。
【図６】  同ひしゃく及びガイドレール、そして浮きかすと潤滑油回収箱の図１におけるＤ−Ｄ線断面図である。
【図７】  同ひしゃく及びアームの図１におけるＥ−Ｅ線断面図である。
【図８】  同ひしゃく及びアームそして第２スクレーパの図７における上面図である。
【発明を実施するための形態】
【００１６】  以下、本発明を実施するための形態を図１〜図８に基づいて説明する。
【００１７】  図においては、１はモータで、円形の傾斜した第１タンク（以下、第１タンク）２の上部カバー３に固定されている。モーターには軸４が接続されて、第１タンクの上部と下部に設けた軸受５で回転させる。
【００１８】  軸にはキー６を設け、第１スクレーパ７を固定し回転させる、回転体８を回転させる。第１スクレーパに、車輪９を設け回転を円滑にさせる。
【００１９】  第１タンクの傾斜した下部及び側面の一部にフィルタ１０が設けられている。
第１タンクのカバーの下部に、切削油剤と切くずの入り口１１及び底板の上部に切りくずの排出口１２が設けられてある。切くずは回転するスクレーパで掻き寄せられ排出口より切くず箱１３に回収される。切削油剤はフィルタを通り第２タンク１４へ流入する。
【００２０】  軸は自在継手１５とスプライン継手１６で、第２スクレーパ１７を回転させる軸１８に接続されている。
【００２１】  第２スクレーパは、フィルタを通過し第２タンクに沈殿した微小切くずを溜枡に集める。第２スクレーパは円弧の形状で、沈殿した微小切くずを第２タンクの中心より側面側へ擦り寄せる。第２スクレーパに、回転を円滑にするために、第２タンクの底面側に車輪２０を設け、また、側面側に車輪２１を設けてある。
【００２２】  溜枡から噴流管２２が縦上方に設けられ、噴流管の内部に外部からやはり縦上方に圧縮空気を供給する噴射管２３が設けられている。圧縮空気を内部の噴射管に供給することで、溜枡に溜った微小切くずを第２タンクの外部へ噴出させることが出来る。外部へ噴出した微小切くずは第１タンク内の切くずの固まっているところへ戻すことで、切くずによるフィルタ効果が発生する。
【００２３】  第２タンクには、浮きかすと浮いた潤滑油を掬って第２タンクの外へ取り出すひしゃく２４が設けられている。ひしゃくには側面上部に穴２５が設けられ、切削油剤が抜けるようになっており、また、内側に上部及び下部が解放され外周が完結する仕切２６を設けた構造である
【００２４】  ひしゃくの裏底には車輪２７が設けてあり、アーム２８によって円滑にひしゃくを第２タンク上部外迄押し上げる。アームは片側をヒンジ２９を支点に、第２スクレーパの上部に設けた支柱３０に車輪３１を設けた第２スクレーパの回転にともなって、ヒンジの反対側が上方へスイングする。
【００２５】  ひしゃくは自重で、アームが下がったときには切削油剤中に沈む。また、アームも自重でヒンジの反対部分は下がる。アームは空洞で密閉になっており、浮力で、ひしゃくを押し上げる力を軽減させる。そして、ひしゃくはガイドレール３２に沿って第２タンクの上部で反転させシュート３３により、浮きかすと潤滑油を、浮きかすと潤滑油回収箱３３へ回収させる。浮きかすと潤滑油回収箱には切削油剤も一緒に入ってくるので下部より配管３５で第１タンクへ戻す。
以上の構成部品で浄化された切削油剤はポンプ３６で工作機械へ送られる。
【符号の説明】
【００２６】２      第１タンク
４      モータに接続した軸
７      第１スクレーパ
９      第１スクレーパに取付けた車輪
１０    フィルタ
１４    第２タンク
１５    自在継ぎ手
１６    スプライン継手
１７    第２スクレーパ
１８    第２スクレーパを回転させる軸
１９    溜枡
２０    第２スクレーパに、第２タンク底面側に取付けた車輪
２１    第２スクレーパに、第２タンク側面側に取付けた車輪
２２    噴流管
２３    噴射管
２４    ひしゃく
２７    ひしゃくの底裏に取付けた車輪
３０    第２スクレーパの上部に取付けた支柱
３１    支柱に取付けた車輪
３２    ガイドレール
【図１】
2012115973.tif 000003
【図２】
2012115973.tif 000004
【図３】
2012115973.tif 000005
【図４】
2012115973.tif 000006
【図５】
2012115973.tif 000007
【図６】
2012115973.tif 000008
【図７】
2012115973.tif 000009
【図８】
2012115973.tif 000010